(57)【要約】【課題】スピーカーを内蔵したリモコン装置において、リモコンケースからの音抜けを向上させ、音質の悪化を防止すると共に、スピーカーに対応する開口部の正面側表面の清掃を容易に行えるようにする。【解決手段】スピーカー８を内蔵するリモコンケース（前ケース２）の該スピーカー８前面に複数のスリット状のケース側開口部１２を開口し、このケース側開口部１２間のケース側桟部２０を前記スピーカー８に近づくにつれて縮小するテーパ断面形状とした。【選択図】図２
2014204227.tif 000002
【特許請求の範囲】
【請求項１】
スピーカーを内蔵するリモコンケースの該スピーカー前面に複数のスリット状のケース側開口部を開口し、このケース側開口部間のケース側桟部を前記スピーカーに近づくにつれて縮小するテーパ断面形状としたことを特徴とするリモコン装置。
【請求項２】
前記リモコンケースの前面側に前記リモコンケースの前面と離間してリモコンカバーを設け、該リモコンカバーの前記スピーカーに対応する位置に複数のスリット状のカバー側開口部を開口し、このカバー側開口部間のカバー側桟部を前記スピーカーに近づくにつれて縮小するテーパ断面形状としたこと特徴とする請求項１記載のリモコン装置。
【請求項３】
前記リモコンケースのスリット状のケース側開口部と、前記リモコンカバーのスリット状のカバー側開口部とはそのスリット方向を同一方向とし、前面側から見た場合に、前記カバー側開口部の背後に前記ケース側桟部が位置するようにしたことを特徴とする請求項２記載のリモコン装置。
【発明の詳細な説明】
【技術分野】
【０００１】
本発明は、スピーカーを内蔵したリモコン装置に関するものである。
【背景技術】
【０００２】
従来より、この種のリモコン装置においては、特許文献１のように、スピーカーの前面に位置するリモコンケースに透音用の複数のスリット状の開口部を有し、この開口部の断面をスピーカーから遠ざかるにつれて開口面積が広くなる形状として、リモコンケース外への排水性をよくしようとしたものが知られていた。
【先行技術文献】
【特許文献】
【０００３】
【特許文献１】特開２０００−２９９８９６号公報（図４参照）
【発明の概要】
【発明が解決しようとする課題】
【０００４】
ところが、この従来のものでは、スリット状の開口部はスピーカーに近づくほど狭くなり、すなわち開口部間の桟部はスピーカーに近づくほど太くなる形状であるため、リモコンケースからの音抜けが悪く、音質が悪化するという問題があった。
【０００５】
また、桟部はリモコンケース正面側から見た場合に山型となっているため、斜面の汚れが清掃しづらく、美観を損なう可能性のあるものであった。
【課題を解決するための手段】
【０００６】
本発明は上記課題を解決するため、スピーカーを内蔵するリモコンケースの該スピーカー前面に複数のスリット状のケース側開口部を開口し、このケース側開口部間のケース側桟部を前記スピーカーに近づくにつれて縮小するテーパ断面形状とした。
【０００７】
また、前記リモコンケースの前面側に前記リモコンケースの前面と離間してリモコンカバーを設け、該リモコンカバーの前記スピーカーに対応する位置に複数のスリット状のカバー側開口部を開口し、このカバー側開口部間のカバー側桟部を前記スピーカーに近づくにつれて縮小するテーパ断面形状とした。
【０００８】
また、前記リモコンケースのスリット状のケース側開口部と、前記リモコンカバーのスリット状のカバー側開口部とはそのスリット方向を同一方向とし、前面側から見た場合に、前記カバー側開口部の背後に前記ケース側桟部が位置するようにした。
【発明の効果】
【０００９】
リモコンケースからの音抜けを向上させ、音質の悪化を防止できると共に、開口部の正面側表面の清掃を容易に行うことができる。
【００１０】
また、リモコンケースの前面側にリモコンカバーを設けた場合でも、リモコンケースからの音抜けと、リモコンカバーからの音抜けを向上させ、しかも、リモコンカバーの開口部から異物が入っても、リモコンケースの桟部があるため、スピーカーの破損を未然に防ぐことができるものである。
【図面の簡単な説明】
【００１１】
【図１】本発明の一実施形態のリモコン装置の分解斜視図
【図２】同一実施形態の要部断面図
【発明を実施するための形態】
【００１２】
次に、本発明の一実施形態のインターホン機能付給湯機用リモコン装置を図面に基づいて説明する。
【００１３】
図１はリモコン装置１の分解斜視図で、内蔵部品の前面側を覆う透明樹脂製の前ケース２と、後面側を覆う不透明樹脂製の後ケース３とで構成される薄い箱状のリモコンケース４に、液晶表示部５や複数のスイッチ６、図示しない音声スイッチなどの電子部品を備えた電装基板７や、スピーカー８、マイク９等を内蔵し、前ケース２の前面側に複数の操作キー１０を挟み込んで保持するリモコンカバー１１が取り付けられている。
【００１４】
前ケース２は、前ケース２の一端側裏面に固定されるスピーカー８に対応する位置に、複数の横長のスリット状のケース側開口部１２が開口され、この開口部１２の上方には前ケース２とリモコンカバー１１間の空間に入り込んだ水が開口部１２に直接入るのを阻害するための庇１３が立設されている。
【００１５】
また、前ケース２は、前ケース２の他端側裏面に固定されるマイク９に対応する位置に、防水シートが貼着されたマイク用透音孔１４が開口されている。
【００１６】
リモコンカバー１１は、不透明樹脂で構成され、液晶表示部５と対応する位置に開口された表示開口部１９と、前ケース２のケース側開口部１２と対応する位置に複数の横長のスリット状のカバー側開口部１５が開口され、前ケース２のマイク用透音孔１４と対応する位置に開口されたマイク用透音穴１６とが設けられている。
【００１７】
図２はスピーカー８周りの断面図で、スピーカー８のコーン面と前ケース２の裏面とは空間を有した状態で、スピーカー８が前ケース２の裏面のスピーカ固定筒１７にスピーカパッキン１８を介して固定されている。
【００１８】
ここで、スピーカー８の周辺部においては前ケース２とリモコンカバー１１とは間に空間を有した状態で離間して設けられており、また、前ケース２の下側壁の下面とリモコンカバー１１の下側壁の上面との間には、前ケース２とリモコンカバー１１との間に入り込んだ水を排出するための隙間１９が設けられている。
【００１９】
そして、前ケース２において、複数のケース側開口部１２間の桟状のケース側桟部２０は、スピーカー８に近づくにつれて縮小するテーパ断面形状を有し、またリモコンカバー１１において、複数のカバー側開口部１５間の桟状のカバー側桟部２１は、スピーカー８に近づくにつれて縮小するテーパ断面形状を有している。
【００２０】
また、ケース側桟部２０と、カバー側桟部２１とは前面側から見て重ならないよう千鳥状に、カバー側開口部１５の背後にケース側桟部２０が、カバー側桟部２１の背後にケース側開口部１２が配置されている。
【００２１】
このようにして、ケース側桟部２０およびカバー側桟部２１はスピーカー８側において先細状となるようスピーカー８に近づくにつれて縮小するテーパ断面形状を有しているため、前ケース２およびリモコンカバー１１からの音抜けがよくなり、音質が向上する。
【００２２】
また、前ケース２およびリモコンカバー１１の表面においては、凹凸なく形成することが可能なので、表面の汚れの清掃を容易に行うことができる。
【００２３】
さらに、ケース側開口部１２とカバー側開口部１５とが交互に配置され、カバー側開口部１５の背後にはケース側桟部２０が位置し、カバー側桟部２１の背後にはケース側開口部１２が位置しているため、音抜けを悪化させることがないと同時に、スピーカー８を正面からの異物の挿入を防止でき、スピーカー８の破損を未然に防止することができるものである。
【００２４】
なお、本発明は上記一実施形態に限定されるものではなく、発明の要旨を変更しない範囲で改変可能なものであり、リモコンカバー１１を設けない構成としたり、ケース側開口部１２とカバー側開口部１２のスリット方向を異ならせるようにしてもよい。
【符号の説明】
【００２５】
１  リモコン装置
２  前ケース（リモコンケース）
４  リモコンケース
８  スピーカー
１１  リモコンカバー
１２  ケース側開口部
１５  カバー側開口部
２０  ケース側桟部
２１  カバー側桟部
【図１】
2014204227.tif 000003
【図２】
2014204227.tif 000004